(57)【要約】【課題】簡単な構造のもとでネジ止め箇所を減らしつつも、回路基板の接地導体パターンと筐体フレームとの好ましい接続状態を確保することができる筐体フレームに対する回路基板の接地導体パターンの接続構造の提供。【解決手段】接地導体パターン１３と導通し、かつ、止めネジ１５の挿通を自在に配設された複数のスルーホール１２を備える回路基板１１と、該回路基板１１の接地導体パターン１３との間で導通関係をとって配置される筐体フレーム２１とを含み、回路基板１１にあって対向する位置関係にある２個のスルーホール１２は、止めネジ１５を介して筐体フレーム２１側への固定を自在とし、残余のスルーホール１２中の少なくとも２個のスルーホール１２は、筐体フレーの対応部位に突設された各突起２３への嵌合を自在とした。【選択図】図１
2006165261.tif 000002
【特許請求の範囲】
【請求項１】
接地導体パターンと導通し、かつ、止めネジの挿通を自在に配設された複数のスルーホールを備える回路基板と、該回路基板の前記接地導体パターンとの間で導通関係をとって配置される筐体フレームとを含み、
前記回路基板にあって対向する位置関係にある２個の前記スルーホールは、止めネジを介して前記筐体フレーム側への固定を自在とし、
残余の前記スルーホール中の少なくとも２個のスルーホールは、前記筐体フレーの対応部位に突設された各突起への嵌合を自在としたことを特徴とする筐体フレームに対する回路基板の接地導体パターンの接続構造。
【請求項２】
前記回路基板は、略方形の平面形状を呈してその四隅に前記スルーホールを備え、対角線上に位置して対向する２個の前記スルーホールは、前記止めネジを介して前記筐体フレーム側への固定を自在とし、
対角線上にある残余の２個の前記スルーホールは、前記筐体フレームの対応部位に突設された各突起への嵌合を自在とした請求項１に記載の筐体フレームに対する回路基板の接地導体パターンの接続構造。
【発明の詳細な説明】
【技術分野】
【０００１】
本発明は、筐体フレームに対する回路基板の接地導体パターンの接続構造に関する技術である。
【背景技術】
【０００２】
波形記録計などの計測機器にあっては、筐体内に各種の電子回路が形成されている回路基板が配設されており、該回路基板は、動作の安定性の向上やノイズの発生を抑えるために、予め用意されているグラウンドパターンを筐体側のシャーシなどに接触させるグラウンド対策が従来より採られてきている。
【０００３】
具体的には、回路基板の接地導体パターンを筐体フレーム側に止めネジを介して取り付けて接触させるのが一般的であり、例えば図３に示すように回路基板１のスルーホール２と筐体フレーム３との間の接続関係が十分に確保できるように、回路基板１を４カ所のスルーホール２を介して筐体フレーム３側に止めネジ４で止着することにより行われている。
【０００４】
しかし、ネジ止め箇所の数を増やす場合には、作業工数が増えることになり、組立てのための作業性がそれだけ損なわれてしまうという問題がある。
【０００５】
このため、ネジ止め箇所を従来より減らすなかで、回路基板が備える接地導体パターンと筐体フレームとの好ましい接続状態を確保することができるようにしたフレームグランド強化装置も既に提案されている（特許文献１参照）。
【特許文献１】特開平５−１３６５７８号公報
【発明の開示】
【発明が解決しようとする課題】
【０００６】
しかし、特許文献１に開示されているフレームグランド強化装置による場合には、ネジ止め箇所を従来より減らしながらも、回路基板と筐体フレームとの間の電気的な結合状態を強化することはできるものの、別途に筐体フレーム側に導電性のバネ材を配設しておかなければならず、コスト削減の見地からは必ずしも有効な手法とはいえない不都合があった。
【０００７】
本発明は、特許文献１などの従来技術にみられた上記課題に鑑み、より簡単な構造のもとでネジ止め箇所を減らしつつも、回路基板が備える接地導体パターンと筐体フレームとの好ましい接続状態を確保することができる筐体フレームに対する回路基板の接地導体パターンの接続構造を提供することを目的とする。
【課題を解決するための手段】
【０００８】
本発明は、上記目的を達成すべくなされたものであり、接地導体パターンと導通し、かつ、止めネジの挿通を自在に配設された複数のスルーホールを備える回路基板と、該回路基板の前記接地導体パターンとの間で導通関係をとって配置される筐体フレームとを含み、前記回路基板にあって対向する位置関係にある２個の前記スルーホールは、止めネジを介して前記筐体フレーム側への固定を自在とし、残余の前記スルーホール中の少なくとも２個のスルーホールは、前記筐体フレーの対応部位に突設された各突起への嵌合を自在としたことを最も主要な特徴とする。
【０００９】
この場合、前記回路基板は、略方形の平面形状を呈してその四隅に前記スルーホールを備え、対角線上に位置して対向する２個の前記スルーホールは、前記止めネジを介して前記筐体フレーム側への固定を自在とし、対角線上にある残余の２個の前記スルーホールは、前記筐体フレームの対応部位に突設された各突起への嵌合を自在とするのが望ましい。
【発明の効果】
【００１０】
本発明によれば、回路基板は、筐体フレーム側に対し２カ所のスルーホールにて止めネジで固定するとともに、他の２カ所にてのスルーホールにて各突起と嵌合させるという簡単な構造により、計４カ所の接地導体パターンを筐体フレーム側に確実に接続させることができるので、ネジ止め箇所を減らすなかで相互の好ましい接続状態を確保することができる。
【発明を実施するための最良の形態】
【００１１】
図１は、本発明の一例についての要部を示す平面図であり、図２は、図１におけるＡ−Ａ線矢視方向での拡大断面図である。
【００１２】
これらの図によれば、本発明は、接地導体パターン１３と導通し、かつ、止めネジ１５の挿通を自在に配設された複数のスルーホール１２を備える回路基板１１と、該回路基板１１の接地導体パターン１３との間で導通関係をとって配置される筐体フレーム２１と、該筐体フレーム２１を支持してこれを位置固定する筐体本体３１とで構成されている。
【００１３】
このうち、適宜サイズの回路基板１１は、略方形の平面形状を呈してその四隅に少なくともスルーホール１２を備えているほか、適宜の電子部品（図示せず）を実装して形成されている。
【００１４】
一方、筐体フレーム２１は、回路基板１１が備える計４個のスルーホール１２のうち、一方の対角線上に位置して対向している２個のスルーホール１２と対面する位置に通孔２２を各別に備えている。
【００１５】
しかも、筐体フレーム２１は、回路基板１１が備える計４個のスルーホール１２のうち、他方の対角線上に位置して対向している２個のスルーホール１２と対面する位置に、プレス加工などで形成されて該スルーホール１２と各別に嵌合する突起２３を備えている。
【００１６】
さらに、筐体フレーム２１を位置固定して支持する筐体本体３１は、筐体フレーム２１が備える通孔２２と対面する位置関係にある部位に螺孔３２が形成されている。
【００１７】
このため、回路基板１１は、止めネジ１５をスルーホール１２から導入して筐体フレーム２１の通孔２２を挿通させ、筐体本体３１の螺孔３２にて螺着することで、筐体本体３１を介して筐体フレーム２１側に確実に位置固定させることができることになる。
【００１８】
次に、上記構成からなる本発明の作用・効果を図示例に基づいて説明すれば、まず、筐体フレーム２１に対し回路基板１１を位置合わせして対面配置する。
【００１９】
すなわち、回路基板１１にあって一方の対角線上にて対向している２個のスルーホール１２は、筐体フレーム２１の対応部位に設けられている各通孔２２と各別に対面させ、他方の対角線上にて対向している２個のスルーホール１２は、筐体フレーム２１の対応部位に設けられている各突起２３と各別に対面させることで、その位置合わせを終える。
【００２０】
このようにして筐体フレーム２１に対する回路基板１１側の位置合わせを終えた後は、回路基板１１にあって一方の対角線上にて対向している２個のスルーホール１２に止めネジ１５を各別に導入するとともに、その際に他方の対角線上にて対向している２個のスルーホール１２には筐体フレーム２１の突起２３を各別に嵌合接触させることができる。
【００２１】
しかる後、回路基板１１は、各止めネジ１５を緊締螺着することで、筐体フレーム２１側にしっかりと位置固定されることになる。しかも、このとき、回路基板１１の各接地導体パターン１３は、２個の止めネジ１５と２個の突起２３とを介して計４カ所にて筐体フレーム２１側に密に接触させることができるので、ネジ止め箇所を減らして部品点数や工数を少なくするなかで相互の好ましい接続状態を確保することができる。
【００２２】
したがって、ネジ止め箇所を従来よりも減らした簡単な構造のもとで、回路基板１１が備える接地導体パターン１３と筐体フレーム２１との間の電気的な結合状態を強化することにより、回路基板における動作の安定性の向上やノイズの発生の抑制を実現することができる。
【００２３】
以上は、本発明を図示例に基づいて説明したものであり、本発明の具体的な内容はこれに限られるものではない。例えば、回路基板は、方形以外の適宜の平面形状を呈するものであってもよい。また、回路基板におけるスルーホールの位置や数も、所望に応じ適宜選定することができる。
【００２４】
さらに、筐体フレームには、通孔ではなく螺孔を、筐体本体には螺孔ではなく通孔を設けておくなど、要するに止めネジを螺着することができるようになっているものでさえあればよい。また、筐体フレームが有する突起は、後付けで付設するものであってもよい。
【図面の簡単な説明】
【００２５】
【図１】本発明の一例についての要部を示す平面図。
【図２】図１におけるＡ−Ａ線矢視方向での拡大断面図。
【図３】筐体フレームへの回路基板の取付け状態の従来例を示す要部説明図。
【符号の説明】
【００２６】
１１  回路基板
１２  スルーホール
１３  接地導体パターン
１５  止めネジ
２１  筐体フレーム
２２  通孔
２３  突起
３１  筐体本体
３２  螺孔
【図１】
2006165261.tif 000003
【図２】
2006165261.tif 000004
【図３】
2006165261.tif 000005